(57)【要約】【課題】カウンターの上面に水滴が残ることを抑制できる浴室カウンターを提供する。【解決手段】カウンター本体と、前記カウンター本体の上に設けられる天板と、を備え、前記天板は、上面及び下面を有し、前記天板の前記上面の中央部は、一端から他端に向けて下方に傾斜しており、前記天板の前記上面の端部は、外側方向に向けて下方に傾斜しており、前記天板の前記下面の端部と前記カウンター本体との間には、前記天板の前記上面の端部に付着した水滴を捕集するための捕集部が設けられていることを特徴とする浴室カウンター。【選択図】図６
2019213666.tif 000002
【特許請求の範囲】
【請求項１】
カウンター本体と、
前記カウンター本体の上に設けられる天板と、
を備え、
前記天板は、上面及び下面を有し、
前記天板の前記上面の中央部は、一端から他端に向けて下方に傾斜しており、
前記天板の前記上面の端部は、外側方向に向けて下方に傾斜しており、
前記天板の前記下面の端部と前記カウンター本体との間には、前記天板の前記上面の端部に付着した水滴を捕集するための捕集部が設けられていることを特徴とする浴室カウンター。
【請求項２】
前記カウンター本体と前記天板との間に設けられる介在部をさらに備え、
前記捕集部は、前記カウンター本体と、前記天板の前記下面の端部と、前記介在部と、により、内側方向へ凹状に形成された捕集溝部であることを特徴とする請求項１記載の浴室カウンター。
【請求項３】
前記捕集溝部は、前記捕集溝部に捕集された水が前記他端側に集まるように、前記一端から前記他端に向かう方向において下方に傾斜していることを特徴とする請求項２記載の浴室カウンター。
【請求項４】
前記カウンター本体は、前記捕集溝部から下方へ延出するように形成された排出溝部を有することを特徴とする請求項２または３に記載の浴室カウンター。
【請求項５】
前記捕集溝部の下面の端部は、前記捕集溝部の上面の端部よりも、外側に位置することを特徴とする請求項２〜４のいずれか１つに記載の浴室カウンター。
【発明の詳細な説明】
【技術分野】
【０００１】
本発明の態様は、一般的に、浴室カウンターに関する。
【背景技術】
【０００２】
浴室に設置される洗面カウンターや水栓カウンター等の浴室カウンターにおいては、例えば、シャワー装置から吐出された水などによって、上面に水滴が付着する場合がある。そこで、特許文献１では、カウンター上面に傾斜勾配を設けることで、カウンター上面に吐出された水を洗い場床へ排出する浴室カウンターが提案されている。しかし、このような浴室カウンターにおいても、カウンター上面の端部に流れた水滴は、端部との表面張力によってカウンター側面へ流れ落ちにくい。カウンター上面に水滴が残っていると、例えばカウンター上面に物品を置いた際に、該物品が使用者の意図せずに濡れてしまう恐れがある。
【先行技術文献】
【特許文献】
【０００３】
【特許文献１】特開２０１１−６７３４０号公報
【発明の概要】
【発明が解決しようとする課題】
【０００４】
本発明は、かかる課題の認識に基づいてなされたものであり、カウンターの上面に水滴が残ることを抑制できる浴室カウンターを提供することを目的とする。
【課題を解決するための手段】
【０００５】
第１の発明は、カウンター本体と、前記カウンター本体の上に設けられる天板と、を備え、前記天板は、上面及び下面を有し、前記天板の前記上面の中央部は、一端から他端に向けて下方に傾斜しており、前記天板の前記上面の端部は、外側方向に向けて下方に傾斜しており、前記天板の前記下面の端部と前記カウンター本体との間には、前記天板の前記上面の端部に付着した水滴を捕集するための捕集部が設けられていることを特徴とする浴室カウンターである。
【０００６】
この浴室カウンターによれば、天板の上面の端部に付着した水滴を、捕集部によって捕集することで、小さな水滴であっても、この水滴同士を結合させることができる。そして、このように結合して流れ落ちやすくなった水滴を、カウンター本体側へ排出させることができる。このため、傾斜した天板の上面を流れた水滴が天板の上面の端部に残ってしまうことを抑制できる。これにより、例えば、天板の上面に物品を置いた際に、該物品が使用者の意図せずに濡れてしまう可能性を低減できる。
【０００７】
第２の発明は、第１の発明において、前記カウンター本体と前記天板との間に設けられる介在部をさらに備え、前記捕集部は、前記カウンター本体と、前記天板の前記下面の端部と、前記介在部と、により、内側方向へ凹状に形成された捕集溝部であることを特徴とする浴室カウンターである。
【０００８】
この浴室カウンターによれば、天板の上面の端部に付着した水滴を、捕集溝部に予め溜まった水と結合させ、捕集溝部に溜まった水の表面張力によって、捕集溝部内に引き込むことができる。これにより、傾斜した天板の上面を流れた水滴が天板の上面の端部に残ってしまうことを、より確実に抑制できる。
【０００９】
第３の発明は、第２の発明において、前記捕集溝部は、前記捕集溝部に捕集された水が前記他端側に集まるように、前記一端から前記他端に向かう方向において下方に傾斜していることを特徴とする浴室カウンターである。
【００１０】
この浴室カウンターによれば、捕集溝部内に引き込まれ結合した水滴が、捕集溝部の傾斜の下部に集まりやすくなる。これにより、捕集溝部内に引き込まれた水滴を浴室カウンター外に排出しやすくなる。
【００１１】
第４の発明は、第２または第３の発明において、前記カウンター本体は、前記捕集溝部から下方へ延出するように形成された排出溝部を有することを特徴とする浴室カウンターである。
【００１２】
この浴室カウンターによれば、捕集溝部内に引き込まれ結合した水滴が、排出溝部によって下方へさらに引き込まれる。これにより、捕集溝部内に引き込まれた水滴を浴室カウンター外に排出しやすくなる。
【００１３】
第５の発明は、第２〜第４のいずれか１つの発明において、前記捕集溝部の下面の端部は、前記捕集溝部の上面の端部よりも、外側に位置することを特徴とする浴室カウンターである。
【００１４】
この浴室カウンターによれば、捕集溝部に予め溜まった水が、捕集溝部の上面の端部よりも外側に位置しやすくなるため、天板の上面の端部に付着した水滴と捕集溝部に予め溜まった水とがより結合しやすくなる。これにより、天板の上面の端部に付着した水滴をより確実に捕集溝部内に引き込むことができる。
【発明の効果】
【００１５】
本発明の態様によれば、カウンターの上面に水滴が残ることを抑制できる浴室カウンターが提供される。
【図面の簡単な説明】
【００１６】
【図１】実施形態に係る浴室カウンターが設けられた浴室を模式的に表す斜視図である。
【図２】実施形態に係る浴室カウンターを模式的に表す斜視図である。
【図３】実施形態に係る浴室カウンターを模式的に表す正面図である。
【図４】実施形態に係る浴室カウンターを模式的に表す平面図である。
【図５】実施形態に係る浴室カウンターを模式的に表す側面図である。
【図６】実施形態に係る浴室カウンターを模式的に表す側断面図である。
【図７】実施形態に係る浴室カウンターの捕集部を模式的に表す側面図である。
【図８】図８（ａ）〜図８（ｄ）は、実施形態に係る浴室カウンターの捕集部を模式的に表す側面図である。
【図９】実施形態に係る浴室カウンターの捕集部を模式的に表す側面図である。
【図１０】実施形態に係る浴室カウンターの排出溝部を模式的に表す斜視図である。
【図１１】実施形態に係る浴室カウンターの変形例の一部を模式的に表す側面図である。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
図１は、実施形態に係る浴室カウンターが設けられた浴室を模式的に表す斜視図である。  
図１に表したように、浴室１００は、浴槽９０と、水栓カウンター１１と、洗面カウンター１２と、を備える。
【００１９】
浴室１００は、第１〜第３の壁面１１０〜１３０を含む複数の壁面（側壁）と、床面と、天井面と、を有する。各壁面と床面と天井面とは、浴室空間ＢＳを形成する。浴室空間ＢＳは、各壁面と床面と天井面とで囲まれた空間である。浴槽９０は、浴室空間ＢＳ内に設けられる。浴槽９０は、浴室空間ＢＳの床面に設けられる。浴室空間ＢＳの床面には、浴槽９０と並べて洗い場１５０が設けられる。
【００２０】
第１の壁面１１０は、浴槽９０側に設けられた第２の壁面１２０と、浴槽９０とは反対側に設けられた第３の壁面１３０との間に設けられている。第１の壁面１１０は、浴槽９０、洗い場１５０、第２の壁面１２０、及び第３の壁面１３０と接続されている。第２の壁面１２０は、浴槽９０及び第１の壁面１１０と接続されている。第３の壁面１３０は、洗い場１５０及び第１の壁面１１０と接続されている。
【００２１】
水栓カウンター１１及び洗面カウンター１２は、浴室１００の第１の壁面１１０の洗い場１５０側（第３の壁面１３０側）に取り付けられている。
【００２２】
水栓カウンター１１は、洗面カウンター１２よりも高い位置に設けられている。水栓カウンター１１は、洗面カウンター１２に向けて水を吐出する。浴室１００では、例えば、シャンプーボトルや洗面器などの物品を洗面カウンター１２の上に置くことにより、体を洗う作業を楽にすることができる。また、水栓カウンター１１の上に、シャンプーボトルなどの物品を置くこともできる。
【００２３】
なお、本願明細書において、水栓カウンター１１と、洗面カウンター１２と、を合わせて、浴室カウンター１０と称する。以下、浴室カウンター１０として、水栓カウンター１１を例に挙げて説明するが、浴室カウンター１０は、水栓カウンター１１に限定されない。例えば、洗面カウンター１２の構成は、後述の水栓部を設けないこと以外は、水栓カウンター１１と同様の構成とすることができる。
【００２４】
図２は、実施形態に係る浴室カウンターを模式的に表す斜視図である。  
図３は、実施形態に係る浴室カウンターを模式的に表す正面図である。  
図４は、実施形態に係る浴室カウンターを模式的に表す平面図である。  
図５は、実施形態に係る浴室カウンターを模式的に表す側面図である。  
図６は、実施形態に係る浴室カウンターを模式的に表す側断面図である。
【００２５】
図２〜図６に表したように、浴室カウンター１０は、カウンター本体２０と、カウンター本体２０の上に設けられる天板３０と、を有する。
【００２６】
なお、本願明細書では、浴室カウンター１０と向き合う使用者からみて手前側を「前方」とし、奥側を「後方」とし、上側を「上方」とし、下側を「下方」とし、右側を「右側方」とし、左側を「左側方」とする。
【００２７】
カウンター本体２０は、カバー部２２と、支持部２４と、水栓部２６と、を有する。カバー部２２は、例えば、左右方向に延びた略直方体の箱状である。支持部２４は、カバー部２２の後方（または下方）に設けられ、カバー部２２を支持する。水栓部２６の一部（例えば、内蔵部）は、カバー部２２の内部に収納される。水栓部２６の別の一部（例えば、吐水部及び操作部）は、カバー部２２から露出する。
【００２８】
カバー部２２は、上面部２２０と、下面部２２２と、側面部２２４と、を有する。上面部２２０、下面部２２２、及び側面部２２４により形成された空間の内部に、水栓部２６の一部（例えば、内蔵部）が収納される。換言すれば、カバー部２２は、水栓部２６の一部を覆う。
【００２９】
カバー部２２の上面部２２０は、カバー部２２の上部に設けられ、カウンター本体２０の上端を構成する。カバー部２２の上面部２２０は、天板３０と対向する部分である。換言すれば、カバー部２２の上面部２２０は、カウンター本体２０と天板３０との貼り合わせ面である。この例では、カバー部２２の上面部２２０には、カバー部２２の上部の略全体を覆う板状の部材が設けられている。カバー部２２の上面部２２０には、カバー部２２の上部の一部（例えば、周端部）を覆う板状の部材が設けられていてもよい。換言すれば、カバー部２２の上面部２２０は、全面が覆われていなくてもよい。
【００３０】
カバー部２２の下面部２２２は、カバー部２２の下部に設けられ、カウンター本体２０の下端を構成する。この例では、カバー部２２の下面部２２２には、カバー部２２の下部の略全体を覆う板状の部材が設けられている。カバー部２２の下面部２２２は、前方から後方に向かって下方に傾斜しており、正面視及び側面視において、カバー部２２の下面部２２２から水栓部２６の一部（吐水部）が露出している。また、カバー部２２の下面部２２２は、右側端部から中央部に向かって下方に傾斜しており、左側端部から中央部に向かって下方に傾斜している。
【００３１】
カバー部２２の側面部２２４は、カバー部２２の前後及び左右の側部に設けられ、カウンター本体２０の前端、後端、及び左右の側端を構成する。カバー部２２の側面部２２４は、上面部２２０の各端部と下面部２２２の各端部との間の面である。この例では、カバー部２２の側面部２２４には、カバー部２２の前方及び左右の側部の全体、並びに、後方の側部の一部を覆う板状の部材が設けられている。カバー部２２の後方側の側面部２２４は、支持部２４に接続されている。また、カバー部２２の前方側の側面部２２４から水栓部２６の一部（操作部）が露出している。
【００３２】
この例では、カバー部２２は、第１の壁面１１０から前方に離間した位置に設けられている。カバー部２２を第１の壁面１１０から離間した位置に設けることで、カバー部２２の後方側の側面部２２４と第１の壁面１１０との間に隙間を設けることができるため、清掃性を向上させることができる。
【００３３】
カバー部２２は、支持部２４により支持されている。支持部２４の一端は、第１の壁面１１０に固定されている。支持部２４の他端は、カバー部２２の後方側の側面部２２４に固定され、カバー部２２の後方側の側面部２２４を支持している。支持部２４は、カバー部２２の下面部２２２及び後方側の側面部２２４に固定され、カバー部２２の下面部２２２及び後方側の側面部２２４を支持していてもよい。支持部２４は、カバー部２２の下面部２２２及び後方側の側面部２２４の少なくともいずれかを支持する。また、支持部２４は、水栓部２６の一部（例えば、内蔵部）を覆っている。
【００３４】
支持部２４は、必要に応じて設けられ、省略可能である。例えば、カバー部２２が第１の壁面１１０に当接する位置に設けられる場合、支持部２４は省略される。
【００３５】
水栓部２６は、吐水部２６０と、操作部２６２と、内蔵部２６４と、を有する。使用者は、操作部２６２を操作することで、吐水部２６０及びシャワー装置（図示せず）から水を吐出させることができる。なお、本願明細書において、「水」には、冷水のみならず、加温されたお湯が含まれる。
【００３６】
吐水部２６０は、いわゆるスパウトである。吐水部２６０は、カバー部２２の下面部２２２から露出しており、下方に向けて水を吐出可能である。吐水部２６０は、例えば、浴室カウンター１０の左右方向の中央付近に設けられる。また、吐水部２６０は、例えば、上面視において、天板３０と重なる位置に設けられる。吐水部２６０は、内蔵部２６４に接続されている。吐水部２６０は、例えば、内蔵部２６４を介して、第１の壁面１１０に設けられた給水源（図示せず）と接続されている。
【００３７】
操作部２６２は、例えば、使用者が吐水部２６０及びシャワー装置から吐出される水の温度や水の流量を調整するための操作部である。また、操作部２６２は、例えば、使用者が吐水部２６０及びシャワー装置の吐水及び止水の切り替えを行うための操作部である。この例では、操作部２６２は、カバー部２２の前方側の側面部２２４に設けられている。操作部２６２は、例えば、カバー部２２の右側方側の側面部２２４または左側方側の側面部２２４に設けられてもよい。操作部２６２は、内蔵部２６４に接続されている。
【００３８】
この例では、操作部２６２として、操作部２６２ａ〜２６２ｄが設けられている。操作部２６２ａは、吐水部２６０及びシャワー装置から吐出される水の流量を調整するための回動式の操作部である。操作部２６２ｂは、吐水部２６０及びシャワー装置から吐出される水の温度を調整するための回動式の操作部である。操作部２６２ｃは、吐水部２６０の吐水及び止水の切り替えを行うための押しボタン式の操作部である。操作部２６２ｄは、シャワー装置の吐水及び止水の切り替えを行うための押しボタン式の操作部である。
【００３９】
内蔵部２６４は、カバー部２２の内部に収納されている。内蔵部２６４は、例えば、第１の壁面１１０に設けられた給水源、吐水部２６０、及び操作部２６２と接続されており、使用者による操作部２６２の操作に基づいて、給水源から供給された水を吐水部２６０及びシャワー装置に供給する。内蔵部２６４は、例えば、温度調整ユニット（図示せず）や流量調整ユニット（図示せず）などを有し、使用者による操作部２６２の操作に基づいて、吐出する水の温度や水の流量を調整する。
【００４０】
なお、浴室カウンター１０において、水栓部２６は、必要に応じて設けられ、省略可能である。浴室カウンター１０が、例えば、水栓カウンター１１である場合、水栓部２６が設けられる。一方、浴室カウンター１０が、例えば、洗面カウンター１２である場合、水栓部２６は省略される。
【００４１】
天板３０は、カウンター本体２０の上に設けられる。天板３０は、例えば、カウンター本体２０の上に載置される。天板３０は、例えば、カウンター本体２０のカバー部２２の上面部２２０の上に設けられる。この例では、天板３０は、略長方形の板状である。
【００４２】
天板３０は、上面３２と、下面３４と、を有する。天板３０の上面３２は、略平坦な面であり、天板３０の上面３２の上には、シャンプーボトルなどの物品を載置可能である。天板３０の下面３４は、カウンター本体２０の上面部２２０と対向する面である。換言すれば、天板３０の下面３４は、カウンター本体２０と天板３０との貼り合わせ面である。この例では、天板３０の下面３４は、カウンター本体２０の上面部２２０に対して略平行である。
【００４３】
天板３０の上面３２は、中央部３２０と、中央部３２０を囲む端部（周端部）３２２と、を有する。天板３０の上面３２の中央部３２０は、一端から他端に向けて下方に傾斜している。この例では、天板３０の上面３２の中央部３２０は、後方（後端）から前方（前端）に向けて下方に傾斜している。換言すれば、上面３２の中央部３２０の高さは、後方から前方に向かって低くなる。これにより、浴室カウンター１０では、天板３０の上面３２の中央部３２０の上の水を前方に流し、洗い場１５０（床面）に落下させることができる。従って、浴室カウンター１０では、天板３０の上面３２の中央部３２０の上に水が溜まってしまうことを抑制することができる。
【００４４】
上面３２の中央部３２０の傾斜角度は、上面３２の中央部３２０に著しく残水しない排水勾配であり、かつ上面３２の中央部３２０の上の載置物（シャンプーボトルなど）が滑り落ちない角度に設定される。上面３２の中央部３２０と水平面ＨＳとの成す角度ωは、好ましくは、１．１５°以上１．９１°以下である。
【００４５】
なお、天板３０の上面３２の中央部３２０は、例えば、前方（前端）から後方（後端）に向けて下方に傾斜していてもよい。この場合、天板３０の上面３２の中央部３２０の上の水を後方に流し、洗い場１５０（床面）に落下させることができる。つまり、この場合にも、天板３０の上面３２の中央部３２０の上に水が溜まってしまうことを抑制することができる。
【００４６】
天板３０の上面３２の端部３２２は、外側方向に向けて下方に傾斜している。換言すれば、天板３０の上面３２の端部３２２は、中央部３２０から端部３２２に向かう方向において、下方に傾斜している。例えば、天板３０の上面３２の前方側の端部３２２は、前方に向けて下方に傾斜している。天板３０の上面３２の後方側の端部３２２は、後方に向けて下方に傾斜している。天板３０の上面３２の右側方側の端部３２２は、右側方に向けて下方に傾斜している。天板３０の上面３２の左側方側の端部３２２は、左側方に向けて下方に傾斜している。
【００４７】
天板３０の上面３２の端部３２２にこのような傾斜を設けることで、上面３２の端部３２２の水滴が、上面３２の外側に排出されやすくなる。
【００４８】
なお、上面３２の端部３２２の傾斜は、平面状であってもよいし、曲面状であってもよい。この例では、上面３２の端部３２２の傾斜は、曲面状である。
【００４９】
天板３０の下面３４は、中央部３４０と、中央部３２０を囲む端部（周端部）３４２とを有する。天板３０の下面３４の中央部３４０と端部３４２とは、例えば、同一平面状に位置する。この例では、天板３０の下面３４は、後方から前方に向かって下方に傾斜している。また、この例では、天板３０の上面３２と下面３４とは、実質的に平行である。換言すれば、天板３０の下面３４は、例えば、水平面ＨＳに対して傾斜角度ω（上面３２の中央部３２０と水平面ＨＳとの成す角度ωと同じ角度）で傾斜している。
【００５０】
天板３０の下面３４は、これに限定されない。例えば、天板３０の下面３４は、水平面ＨＳに対して上面３２とは異なる角度で傾斜していてもよい。また、天板３０の下面３４は、水平面ＨＳと実質的に平行であってもよい。すなわち、例えば、天板３０の前方側の厚さと天板３０の後方側の厚さは異なっていてもよい。例えば、天板３０の前方側の厚さは、天板３０の後方側の厚さよりも薄くてもよい。
【００５１】
図６に表したように、この例では、浴室カウンター１０は、カウンター本体２０と天板３０との間に設けられる介在部４０を有する。介在部４０は、例えば、カウンター本体２０と天板３０とを接着する接着剤である。介在部４０は、例えば、カウンター本体２０のカバー部２２の上面部２２０の中央部２２０ａと、天板３０の下面３４の中央部３４０と、の間に設けられる。介在部４０は、例えば、カウンター本体２０のカバー部２２の上面部２２０の端部２２０ｂと、天板３０の下面３４の端部３４２と、の間には、設けられない。このように、端部に接着しない部分を設けることで、カウンター本体２０と天板３０とを接着する際に位置がずれても、接着剤が露出することを抑制できる。また、このように、端部に接着しない部分を設けることで、後述の捕集部５０（捕集溝部５２）を容易に形成することができる。なお、介在部４０は、粘着剤（両面テープ）等でも良い。
【００５２】
介在部４０は、例えば、カウンター本体２０の一部であってもよい。例えば、カウンター本体２０のカバー部２２の上面部２２０の中央部２２０ａが、端部２２０ｂから上方に向かって凸状の構造を有する場合、この中央部２２０ａの凸部を介在部４０とみなすことができる。
【００５３】
介在部４０は、例えば、天板３０の一部であってもよい。例えば、天板３０の下面３４の中央部３４０が、端部３４２から下方に向かって凸状の構造を有する場合、この中央部３４０の凸部を介在部４０とみなすことができる。
【００５４】
実施形態において、天板３０の下面３４の端部３４２とカウンター本体２０との間には、捕集部５０が設けられる。捕集部５０は、天板３０の上面３２の端部３２２に付着した水滴を捕集する。これにより、小さな水滴であっても、この水滴同士を結合させることができる。そして、このように結合して流れ落ちやすくなった水滴を、カウンター本体２０側へ排出させることができる。このため、傾斜した天板３０の上面３２を流れた水滴が天板３０の上面３２の端部３２２に残ってしまうことを抑制できる。例えば、天板３０の上面３２に物品を置いた際に、該物品が使用者の意図せずに濡れてしまう可能性を低減できる。
【００５５】
捕集部５０は、少なくとも、天板３０の上面３２に付着した水滴が流れてくる位置に設けられる。より具体的には、捕集部５０は、少なくとも、天板３０の上面３２の中央部３２０の傾斜の下部側（この例では、前方側）の、カウンター本体２０と天板３０の下面３４の端部３４２との間に設けられる。この例では、捕集部５０は、天板３０の下面３４の端部３４２とカウンター本体２０との間の全周に設けられている。
【００５６】
図６に表したように、この例では、カバー部２２の前方側の側面部２２４の上部に、側面部２２４の上部から後方へ延びる後延部２２４ａが設けられている。このような後延部２２４ａを設けることで、捕集部５０からカウンター本体２０の内部が見えることを抑制できる。後延部２２４ａは、例えば、カバー部２２の上面部２２０の端部２２０ｂを構成する。換言すれば、後延部２２４ａの上面は、捕集部５０の一部（後述の捕集溝部５２の下面５２０）を構成する。
【００５７】
以下、捕集部５０について、さらに詳しく説明する。  
図７は、実施形態に係る浴室カウンターの捕集部を模式的に表す側面図である。  
図７に表したように、捕集部５０は、例えば、カウンター本体２０と、天板３０の下面３４の端部３４２と、介在部４０と、により、内側方向へ凹状に形成された捕集溝部５２である。この例では、カウンター本体２０のカバー部２２の上面部２２０の端部２２０ｂにより、捕集溝部５２の下面５２０が形成されている。また、天板３０の下面３４の端部３４２により、捕集溝部５２の上面５２２が形成されている。また、介在部４０の側端部４２により、捕集溝部５２の側面５２４が形成されている。
【００５８】
この例では、捕集溝部５２の下面５２０の端部５２０ａは、捕集溝部５２の上面５２２の端部５２２ａよりも、外側に位置する。例えば、捕集溝部５２の下面５２０を形成しているカウンター本体２０（カバー部２２）の上面部２２０の端部２２０ｂの一部は、捕集溝部５２の上面５２２を形成している天板３０の下面３４の端部３４２よりも、外側に位置する。
【００５９】
捕集溝部５２の側面５２４から捕集溝部５２の下面５２０の端部５２０ａまでの長さＬ１は、例えば、０．５ｍｍ以上５ｍｍ以下（例えば、３ｍｍ程度）である。捕集溝部５２の側面５２４における、捕集溝部５２の下面５２０から捕集溝部５２の上面５２２までの長さＬ２は、例えば、０．１ｍｍ以上０．６ｍｍ以下（例えば、０．２ｍｍ程度）である。捕集溝部５２の下面５２０の端部５２０ａから捕集溝部５２の上面５２２の端部５２２ａまでの傾斜方向の長さＬ３は、例えば、０．３ｍｍ以上１．０ｍｍ以下（例えば、０．５ｍｍ程度）である。
【００６０】
捕集溝部５２に溜まった水は、捕集溝部５２の下面５２０の上に位置する。従って、捕集溝部５２の下面５２０の端部５２０ａが、捕集溝部５２の上面５２２の端部５２２ａよりも外側に位置すると、捕集溝部５２に溜まった水が、捕集溝部５２の上面５２２の端部５２２ａよりも外側に位置しやすくなる。これにより、天板３０の上面３２の端部３２２に付着した水滴と捕集溝部５２に溜まった水とがより結合しやすくなる。従って、より確実に天板３０の上面３２の端部３２２に付着した水滴を捕集溝部５２内に引き込むことができる。
【００６１】
また、図７に表したように、この例では、カバー部２２の上面部２２０の端部２２０ｂと、カバー部の前方側の側面部２２４と、の間に、面取り部２２６が設けられている。このような面取り部２２６を設けることで、捕集溝部５２に溜まった水は、カバー部２２の上面部２２０の端部２２０ｂ（すなわち、捕集溝部５２の下面５２０）から下方に落ちやすくなる。これにより、捕集溝部５２に溜まった水を排出しやすくなる。
【００６２】
図８（ａ）〜図８（ｄ）は、実施形態に係る浴室カウンターの捕集部を模式的に表す側面図である。  
図８（ａ）に表したように、例えば、浴室を使用すると、捕集溝部５２に水ＷＴが溜まる。天板３０の上面３２に付着した水滴ＤＰ１は、天板３０の上面３２の中央部３２０の傾斜により、天板３０の上面３２の中央部３２０から端部３２２に向かって流れる。そして、水滴ＤＰ１は、天板３０の上面３２の端部３２２の傾斜により、天板３０の外側に向かって流れる。
【００６３】
天板３０の上面３２の端部３２２を外側に向かって流れた水滴ＤＰ１は、図８（ｂ）に表したように、捕集溝部５２に溜まった水ＷＴに結合（合流）する。水ＷＴは、捕集溝部５２の下面５２０、上面５２２、及び側面５２４の三面と接しており、天板３０の上面３２のみに接している水滴ＤＰ１と比べて、表面張力が大きい。これにより、図８（ｃ）に表したように、水滴ＤＰ１は、捕集溝部５２に溜まった水ＷＴの表面張力によって、捕集溝部５２に引き込まれる（捕集される）。
【００６４】
図８（ｃ）に表したように、捕集溝部５２に溜まった水ＷＴの量が多くなると、図８（ｄ）に表したように、水ＷＴの一部が水滴ＤＰ２として、カウンター本体２０の下方に流れて、排出される。
【００６５】
このように、実施形態においては、捕集部５０（捕集溝部５２）を設けることで、傾斜した天板３０の上面３２を流れた水滴ＤＰ１を、捕集溝部５２に溜まった水ＷＴに結合させることができる。これにより、天板３０の上面３２の端部３２２に残ってしまうことをより確実に抑制できる。
【００６６】
図９は、実施形態に係る浴室カウンターの捕集部を模式的に表す側面図である。  
図９に表したように、捕集溝部５２は、浴室カウンター１０の側面部にも設けられている。側面部に設けられた捕集溝部５２は、上記の天板３０の上面３２の中央部３２０の一端から他端に向かう方向において、下方に傾斜している。換言すれば、捕集溝部５２は、天板３０の上面３２の中央部３２０と同じ方向に傾斜している。この例では、捕集溝部５２は、後方から前方に向けて下方に傾斜している。捕集溝部５２の下面５２０と、天板３０の上面３２の中央部３２０とは、実質的に平行である。また、この例では、捕集溝部５２の下面５２０と、捕集溝部５２の上面５２２とは、実質的に平行である。
【００６７】
このように、捕集溝部５２が傾斜していることで、捕集溝部５２内に引き込まれ、結合した水滴ＤＰ１が、捕集溝部５２内の傾斜の下部（この例では、前方側）に集まりやすくなる。これにより、捕集溝部５２内に引き込まれた水滴ＤＰ１を浴室カウンター１０の外に排出しやすくなる。
【００６８】
図１０は、実施形態に係る浴室カウンターの排出溝部を模式的に表す斜視図である。  
図１０に表すように、カウンター本体２０は、捕集溝部５２から下方へ延出するように形成された排出溝部６０を有する。排出溝部６０は、上下方向に延びる縦溝である。排出溝部６０は、捕集溝部５２からカバー部２２の上面部２２０（または面取り部２２６）に沿ってカバー部２２の側面部２２４まで延びる溝部を有していてもよい。排出溝部６０は、２つの側面と１つの後面の３面で囲まれているが、必ずしも３面で囲まれている必要なく、２つの側面のみで囲まれた溝も、「排出溝部」である。
【００６９】
この例では、排出溝部６０は、カバー部２２の側面部２２４同士の角部付近に設けられている。例えば、カバー部２２の前方側の側面部２２４と、右側方側の側面部２２４と、により形成される角部付近においては、前方側の側面部２２４の右側端部付近、及び、右側方側の側面部２２４の前端部付近、に排出溝部６０が設けられている。排出溝部６０を設ける位置は、任意の位置とすることができる。排出溝部６０を設ける数は、任意の数とすることができる。排出溝部６０は、例えば、カバー部２２の側面部２２４同士の四隅の角部付近に設けられる。
【００７０】
このように、排出溝部６０を設けることで、捕集溝部５２内に引き込まれた水滴が、排出溝部６０によって下方へさらに引き込まれる。これにより、捕集溝部５２内に引き込まれた水滴を浴室カウンター１０の外に排出しやすくなる。
【００７１】
図１１は、実施形態に係る浴室カウンターの変形例の一部を模式的に表す側面図である。  
図１１に表したように、この変形例では、カバー部２２の上面部２２０の端部２２０ｂと、カバー部の前方側の側面部２２４と、の間に、面取り部２２６が設けられていない。このように、面取り部２２６を設けない場合には、捕集溝部５２に溜まった水は、カバー部２２の上面部２２０の端部２２０ｂ（すなわち、捕集溝部５２の下面５２０）から下方に落ちにくくなる。これにより、水を捕集溝部５２に溜めやすくなる。つまり、天板３０の上面３２の端部３２２に付着した水滴と捕集溝部５２に溜まった水とがより結合しやすくなる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室カウンター１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０ 浴室カウンター、  １１ 水栓カウンター、  １２ 洗面カウンター、  ２０ カウンター本体、  ２２ カバー部、  ２４ 支持部、  ２６ 水栓部、  ３０ 天板、  ３２ 上面、  ３４ 下面、  ４０ 介在部、  ４２ 側端部、  ５０ 捕集部、  ５２ 捕集溝部、  ６０ 排出溝部、  ９０ 浴槽、  １００ 浴室、  １１０、１２０、１３０ 第１、第２、第３の壁面、  １５０ 洗い場、  ２２０ 上面部、  ２２０ａ 中央部、  ２２０ｂ 端部、  ２２２ 下面部、  ２２４ 側面部、  ２２４ａ 後延部、  ２２６ 面取り部、  ２６０ 吐水部、  ２６２、２６２ａ〜２６２ｄ 操作部、  ２６４ 内蔵部、  ３２０ 中央部、  ３２２ 端部、  ３４０ 中央部、  ３４２ 端部、  ５２０ 下面、  ５２０ａ 端部、  ５２２ 上面、  ５２２ａ 端部、  ５２４ 側面、  ＢＳ 浴室空間、  ＤＰ１、ＤＰ２ 水滴、  ＨＳ 水平面、  Ｌ１〜Ｌ３ 長さ、  ＷＴ 水、  ω 角度
【図１】
2019213666.tif 000003
【図２】
2019213666.tif 000004
【図３】
2019213666.tif 000005
【図４】
2019213666.tif 000006
【図５】
2019213666.tif 000007
【図６】
2019213666.tif 000008
【図７】
2019213666.tif 000009
【図８】
2019213666.tif 000010
【図９】
2019213666.tif 000011
【図１０】
2019213666.tif 000012
【図１１】
2019213666.tif 000013